(57)【要約】【課題】靴の内部に対する通気性の確保が極めて簡単な構造で実現することができ、加工に手間をかけないで済むと共に、雨天時や砂地の歩行が全く支障なく行える実用的な通気性靴を提供する。【解決手段】本底２とその上に配置した通気性のある中底５の間に、多数の間隔保持材６を点在的な配置で設けることにより、爪先側から踵側にわたって全体的に連通する空間７を形成し、甲革３の側面で踵４に対して近接する位置に、上記空間７と外気を連通させるための通気孔８が設けてある。【選択図】  図１
2004283454.tif 000002
【特許請求の範囲】
【請求項１】
本底とその上に配置した通気性のある中底の間に、多数の間隔保持材を点在的な配置で設けることにより、爪先側から踵側にわたって全体的に連通する空間を形成し、甲革の側面で踵に対して近接する位置に、上記空間と外気を連通させるための通気孔を設けた通気性靴。
【請求項２】
上記中底の踵側の端縁に、上記空間への侵入物の排出用となる切り欠き部を設けた請求項１に記載の通気性靴。
【請求項３】
上記中底が、ヨウ素化合物を配合もしくは塗布されている請求項１又は２に記載の通気性靴。
【発明の詳細な説明】
【０００１】
【発明の属する技術分野】
この発明は、履いたときに足が蒸れるのを防ぎ、悪臭の発生を防ぐと同時に、水虫の対策に有効な通気性靴に関する。
【０００２】
【従来の技術】
靴を長時間にわたって履くと、足が蒸れて発汗し高湿度の環境になるため、悪臭の原因となる雑菌や水虫菌が増殖することは知られており、このため、靴の内部に外気と連通する空間を設けて通気性を持たせ、足が長時間にわたって蒸れないようにすることで、悪臭の発生を防ぎ、水虫の対策を図ることができる通気性靴は、既に提案されている。
【０００３】
従来の通気性靴は、靴底の上面に横方向の凹部を並べて設け、この靴底の上面に通気性を有する下敷き部材を重ね、上記靴底の周側面で各凹部と対応する位置に、凹部と連通する通気孔を多数穿設した構造になっており、凹部内が通気孔を介して外気と通じることで、内部の湿度上昇を抑えて足が蒸れや悪臭の発生を防ぐことができる（特許文献１参照）。
【０００４】
【特許文献１】
特開平７−１３６００２号公報（図１、図２）
【０００５】
【発明が解決しようとする課題】
ところで、上記した従来の通気性靴は、各凹部が区切られて独立しているため、各凹部ごとに通気孔を穿設しなければならず、通気孔を多数設けるための加工に手間がかかることになる。
また、靴底の周側面に穿設した通気孔は、地面に極めて接近した配置になり、例えば、雨天時には通気孔から内部に浸水したり、また、砂地の歩行時に通気孔から内部に砂が入るというように、実際の使用には問題がある。
【０００６】
そこで、この発明の課題は、靴の内部に対する通気性の確保が極めて簡単な構造で実現することができ、加工に手間をかけないで済むと共に、雨天時や砂地の歩行が全く支障なく行える実用的な通気性靴を提供することにある。
【０００７】
【課題を解決するための手段】
上記のような課題を解決するため、この発明は、本底とその上に配置した通気性のある中底の間に、多数の間隔保持材を点在的な配置で設けることにより、爪先側から踵側にわたって全体的に連通する空間を形成し、甲革の側面で踵に対して近接する位置に、上記空間と外気を連通させるための通気孔を設けた構成を採用したものである。
【０００８】
上記中底の踵側の端縁に、上記空間への侵入物の排出用となる切り欠き部を設けた構造としたり、この中底が、ヨウ素化合物を配合もしくは塗布されているようにすることができる。
【０００９】
ここで、中底は、目の細かくて強度のあるメッシュ板や、目の粗い格子板の上に目の細かいメッシュ板を積層することによって形成され、上記間隔保持材は、この中底の下面に一体に突設した柱体によって形成され、この柱体を点在的な配置で設けて本底に接着固定することにより、本底と中底の間に形成された空間は、全体的に連続したものとなり、通気孔を介して外気と連通することになる。
【００１０】
また、通気孔は、甲革の側面に設けた打ち抜き孔に、パンチングメタルやメッシュを取り付けたり、甲革に鳩目孔を設けることによって形成し、踵に対して近接する位置に設けることにより、地面から高い位置となり、踵を高くすることにより、一段と地面からはなれることになり、雨天時に内部に浸水したり、砂が内部に侵入するのを有効に防ぐことができる。
【００１１】
【発明の実施の形態】
以下、この発明の実施の形態を図示例と共に説明する。
【００１２】
図１のように、この発明の通気性靴１は、本底２の周囲上部を甲革３で覆い、本底２の後部下面に踵４を設けると共に、甲革３で囲まれた内側で本底２の上に通気性のある中底５が配置され、この中底５と本底２の間に、多数の間隔保持材６を点在的な配置で介在させることにより、爪先側から踵側にわたって全体的に連通する空間７が形成され、上記甲革３の側面で踵４に対して近接する両側の位置に、上記空間と外気を連通させるための通気孔８が設けられている。
【００１３】
上記中底５は、図３や図４に例示するように、合成樹脂や硬質のゴム等を用いた目の細かくて強度のあるメッシュ板５ａや、同じく強度のある目の粗い格子板の上に目の細かいメッシュ板を積層固定することによって形成され、上記間隔保持材６は、このメッシュ板５ａや格子板の下面に一体に突設した柱体によって形成され、この柱体を点在的な配置で設けて本底２に接着固定することにより、爪先側から踵側にわたって全体的に略一定の高さの空間７を形成している。
【００１４】
なお、本底２と中底５は一体の材料から形成し、本底２に対して甲革３を接着や縫着することにより、通気性靴１を形成するようにしてもよい。
【００１５】
上記通気孔８は、甲革３の側面に設けた打ち抜き孔に、パンチングメタルやメッシュを取り付けたり、甲革３に鳩目孔を設けることによって形成すればよく、通気性靴１に合わせたデザインや大きさを採用することができ、また、踵４に対して近接する位置に設けることにより、地面から離れた高い位置に配置されることになる。
【００１６】
上記通気孔８の形成において、踵４の高さを高く設定することにより、通気孔８は一段と地面からはなれることになり、雨天時に内部に浸水したり、砂が内部に侵入するのを有効に防ぐことができる。
【００１７】
上記した中底５は、形成材料にヨウ素化合物を配合もしくは、その上面に塗布することにより、殺菌性に優れたものとなり、水虫対策に好適なものとなる。
また、図２のように、中底５の踵４側の端縁に、上記空間７への侵入物の排出用となる切り欠き部９が設けられている。
【００１８】
この発明の通気性靴１は、上記のような構成であり、履いたときに足裏が載る中底５は通気性を有し、この中底５の下に形成した空間７は、通気孔８を介して外気と導通しているので、靴内は爪先側から踵側まで全体的に通気性に優れたものとなり、歩行による足の上下運動で中底５の圧縮と開放の繰返により、靴内空気と外気の置換が効果的に行われ、これにより、長時間の履用にも発汗による足の蒸れを有効に防止することができ、快適な履用感が得られると共に、蒸れによる悪臭の発生を有効に抑えることができ、内部の湿度を高めないことで、水虫の防止や治療に有効である。
【００１９】
上記中底５にヨウ素化合物を配合もしくは塗布しておくと、水虫の治療効果が一段と向上することになる。
【００２０】
また、通気孔８は、踵４に近接する位置に設けられているので、地面から離れた高い位置となり、雨天時に内部に浸水したり、砂等が内部に侵入するのを防ぐことができ、よしんば、空間７内に塵埃や砂等が侵入した場合は、空間７が全体的に連通しているので、通気性靴１を縦にして侵入物を踵４側に集めた状態で反転させれば、中底５の踵４側に設けた切欠き部９から外部に侵入物を排出することができる。
【００２１】
【発明の効果】
以上のように、この発明によると、本底とその上に配置した通気性のある中底の間に、爪先側から踵側にわたって全体的に連通する空間を形成し、甲革の側面で踵に対して近接する位置に、上記空間と外気を連通させるための通気孔を設けたので、靴の内部全体が常に外気と導通することになり、履用時の発汗による足の蒸れを有効に防止し、蒸れによる悪臭の発生を抑え、快適な履用感が得られると共に、内部の湿度を高めないことで、水虫の防止や治療の対策に有効である。
【００２２】
また、靴の内部に通気性のある中底と間隔保持材を設け、甲革の側面で踵に対して近接する位置に、上記空間と外気を連通させるための通気孔を設けるだけでよいので、靴の内部に対する通気性の確保が極めて簡単な構造で実現することができ、加工に手間がかからない構造となる。
【００２３】
また、中底の踵側端縁に切欠き部を設けることにより、空間に対する侵入物の排出が簡単に行え、靴内を常に清潔に保つことができる。
【００２４】
更に、中底にヨウ素化合物を配合もしくは塗布しておくと、水虫の治療効果が一段と向上する。
【図面の簡単な説明】
【図１】この発明に係る通気性靴の一部切欠き正面図
【図２】この発明に係る通気性靴の中底を示す平面図
【図３】この発明に係る通気性靴の中底を示す部分的な拡大斜視図
【図４】図１の矢印ＩＶ−ＩＶの部分を拡大した縦断側面図
【符号の説明】
１    通気性靴
２    本底
３    甲革
４    踵
５    中底
６    間隔保持材
７    空間
８    通気孔
９    切り欠き部
【図１】
2004283454.tif 000003
【図２】
2004283454.tif 000004
【図３】
2004283454.tif 000005
【図４】
2004283454.tif 000006